(57)【要約】【課題】口径の大きな光学フィルターを用いる必要がなく、廉価であり携帯性を犠牲にせず光学フィルターによる効果を得ることができることを目的とする。【解決手段】レンズ鏡筒側のマウント１２とカメラ側のマウント２２との間に接続され、レンズ鏡筒側のマウント１２とカメラ側のマウント２２をつなぐ中間鏡筒に光学フィルター４４を内蔵し、内蔵された光学フィルターを中間鏡筒外部より回転操作可能な機構を備えたことを特徴とする。【選択図】図１
2011191469.tif 000002
【特許請求の範囲】
【請求項１】
レンズ鏡筒を交換できるカメラにおいて、前記レンズ鏡筒側のマウントと前記カメラ側のマウントとの間に接続され、前記レンズ鏡筒側のマウントと前記カメラ側のマウントとをつなぐ中間鏡筒であって、光学フィルターを前記中間鏡筒外部より回転操作可能に備えた中間鏡筒。
【発明の詳細な説明】
【技術分野】
【０００１】
本発明は、レンズを交換できるカメラにおいて、レンズ鏡筒側のマウントとカメラ側のマウントとに接続され、レンズ鏡筒側のマウントとカメラ側のマウントとをつなぐ中間鏡筒に関する。
【背景技術】
【０００２】
カメラを用いて静止画や動画を撮影するとき、レンズ鏡筒側のマウントとカメラ側のマウントとが異なるためレンズ鏡筒側のマウントとカメラ側のマウントとをつなぐマウントアダプターや、レンズ鏡筒の焦点距離を伸ばすためレンズ鏡筒側のマウントとカメラ側のマウントとの間に挟むテレコンバーターや、接写撮影をするときにレンズ鏡筒側のマウントとカメラ側のマウントとの間に挟む接写リング等、レンズ鏡筒側のマウントとカメラ側のマウントとの間に挟んで使用する中間鏡筒が存在する（例えば、特許文献１参照。）。
【０００３】
また、水面やガラスにおける反射を除去し水中やガラス越しの被写体を撮影するためにＰＬ（Ｐｏｌａｒｉｚｅｄ  Ｌｉｇｈｔ）フィルターと呼ばれる偏光フィルターをレンズ鏡筒前面に取り付け偏光効果を確認しながら、つまり水面やガラスにおける反射が作画意図に対して最適となる回転位相までＰＬフィルターを回転調整して撮影する撮影技術がある。
【０００４】
また、夜景撮影等において輝きを演出する手段として、点光源から光条が発生する効果が得られるクロスフィルターをレンズ鏡筒前面に取り付け光条発生効果を確認しながら、つまり点光源から発生する光条を作画意図に対して最適となる回転位相までクロスフィルターを回転調整して撮影する撮影技術がある。
【先行技術文献】
【特許文献】
【０００５】
【特許文献１】特開２００２−８２２８９号公報
【発明の概要】
【発明が解決しようとする課題】
【０００６】
光学フィルターの光学効果を得るため、光学フィルターをレンズ鏡筒前面に取り付けて撮影する場合、画角が比較的狭く前玉の口径の小さい標準レンズや中望遠レンズでは光学フィルターを容易に使用することができるが、画角の広い広角レンズ前面に光学フィルターを使用するためには、広角レンズの画角が広いので光学フィルターによる画面のケラレを防止するためレンズ鏡筒前面に取り付けて使用する光学フィルターの口径が大きくなり、光学フィルターそのものが高価になることや持ち運びが困難になるという課題があった。
【０００７】
また、ＰＬフィルターやクロスフィルター等の回転操作を行うことでフィルター効果を調整する光学フィルターは、光学フィルター内部に回転機構を備えるため、回転操作を行わない光学フィルターに比べフィルター枠の光軸方向の厚みが大きくなり、光学フィルターによる画面のケラレを防止しようとすると光学フィルターの口径をより大きくする必要があり、光学フィルターそのものがさらに高価になることや持ち運びがさらに困難になるという課題があった。
【０００８】
さらに、画角が１８０度前後の魚眼レンズでは、レンズ鏡筒前面に光学フィルターを取り付け、画面にケラレを生じさせないためには、前方に突出した対物レンズとの接触を避けるため、たとえばドーム状の光学フィルターが必要であり、そのような光学フィルターは、光学フィルターそのものが非常に高価になり持ち運びも非常に困難になるという課題があった。
【０００９】
また、光学フィルターをレンズ鏡筒前面のフィルターネジ部に取り付けてフィルターネジ径の異なる複数のレンズ鏡筒で使用する場合、異なるフィルターネジ径に応じて複数の光学フィルターを準備しなければならず、高価になり持ち運びも困難になるという課題があった。
【００１０】
このような課題に鑑みて本発明の中間鏡筒は、口径の大きな光学フィルターを用いる必要がなく、廉価であり携帯性を犠牲にせず光学フィルターによる効果を得ることができることを目的とする。
【課題を解決するための手段】
【００１１】
上記課題を解決するために本件の発明は、レンズ鏡筒側のマウントとカメラ側のマウントの間に接続され、レンズ鏡筒側のマウントとカメラ側のマウントをつなぐ中間鏡筒に光学フィルターを内蔵し、内蔵された光学フィルターを中間鏡筒外部より回転操作可能な機構を備えたことを特徴とする中間鏡筒である。
【発明の効果】
【００１２】
本発明の中間鏡筒は、広角レンズや魚眼レンズで光学フィルターを用いて光学フィルターの効果を得る場合、口径の大きな光学フィルターを用いる必要がなく、廉価であり携帯性を犠牲にせず光学フィルターによる効果を得ることができる。
【００１３】
また、ＰＬフィルターやクロスフィルター等の回転操作を行うことでフィルター効果を調整する光学フィルターであっても、口径の大きな光学フィルターを用いる必要がなく、廉価であり携帯性を犠牲にせず光学フィルターによる効果を得ることができる。
【００１４】
また、フィルターネジ径の異なる複数のレンズ鏡筒を使用する場合でも、それぞれのレンズ鏡筒に応じて異なるフィルターネジ径の複数の光学フィルターを準備する必要がなく、廉価であり携帯性を犠牲にすることなく光学フィルターによるフィルター効果を得ることができる。
【図面の簡単な説明】
【００１５】
【図１】フィルター回転機構組立図
【図２】フィルター回転機構分解図
【図３】中間鏡筒側面図
【図４】中間鏡筒前面図
【図５】中間鏡筒背面図
【図６】レンズロック部組立図
【図７】レンズ鏡筒側面図
【図８】レンズ鏡筒背面図
【図９】カメラボディ前面図
【図１０】カメラボディ側面図
【図１１】カメラシステム分解図
【図１２】カメラシステム組立図
【発明を実施するための形態】
【００１６】
図１は、本発明の実施形態の中間鏡筒のフィルター回転機構組立図である。図１において、中間鏡筒ボディマウント１２と中間鏡筒レンズマウント２２は、中間鏡筒本体１１にネジ止め固定されている。フィルター保持リング４１は、光学フィルター４４を保持している。操作ギヤ４５は、操作ローラー４６と一体で操作ギヤ軸４７に挿入され、操作ギヤ軸４７を中心に回転できる。操作ローラー４６は、図１に示すように中間鏡筒本体１１より一部露出していて、中間鏡筒本体１１外側より回転操作できる。
【００１７】
図２は、本発明の中間鏡筒のフィルター回転機構分解図である。図２において、光学フィルター４４を保持しているフィルター保持リング４１は、対中間鏡筒摺動部４１ａが、中間鏡筒本体１１の内部にある対フィルター保持リング摺動部１１ａに紙面左側である被写体の方向から挿入され、さらに保持リング押さえ４３の外周にある対フィルター保持リング圧入部４３ｂが紙面右側であるカメラの方向からフィルター保持リング４１の内周にある対保持リング押さえ圧入部４１ｂに圧入されることにより、中間鏡筒本体１１に固定される。
【００１８】
対中間鏡筒摺動部４１ａの外径寸法は、対フィルター保持リング摺動部１１ａの内径寸法よりもわずかに小さく、光学フィルター４４を保持しているフィルター保持リング４１は、中間鏡筒本体１１に対して回転できる。
【００１９】
操作ギヤ４５と操作ローラー４６とが一体となったものは、操作ギヤ軸４７に挿入され操作ギヤ軸４７を中心に自由に回転できる。
【００２０】
また、フィルター保持リング４１の外周にあるフィルター保持リング外周ギヤ４１ｃは、操作ギヤ４５と図１に示すように噛み合っており、操作ローラー４６を中間鏡筒本体１１の外側より回転操作することで、操作ローラー４６と一体となった操作ギヤ４５がフィルター保持リング外周ギヤ４１ｃを回転させ、フィルター保持リング４１に保持された光学フィルター４４が回転できる。つまり、操作ローラー４６を中間鏡筒本体１１の外側より回転操作することで光学フィルター４４が回転できる。
【００２１】
図３は、中間鏡筒側面図であり、図１のフィルター回転機構組立図の外観図である。図３において、中間鏡筒ボディマウント１２には、中間鏡筒ボディマウントロックピン１４が設けられている。中間鏡筒本体１１の外周部には、中間鏡筒ボディマウントリリースボタン１５および中間鏡筒レンズマウント指標２３が設けられている。
【００２２】
図４は、中間鏡筒前面図であり、図３の中間鏡筒側面図を紙面左側つまりレンズ鏡筒側から見た図で一部は断面図である。図４において、操作ギヤ軸４７を中心に回転できる操作ギヤ４５はフィルター保持リング外周ギヤ４１ｃと噛み合っていて、操作ギヤ４５を回転させることで光学フィルター４４が回転できる。中間鏡筒ボディマウント１２の内周には、中間鏡筒ボディマウントスキマ１２ａ、中間鏡筒ボディマウントスキマ１２ｂおよび中間鏡筒ボディマウントスキマ１２ｃが設けられている。中間鏡筒ボディマウント１２には、中間鏡筒ボディマウント指標１３が設けられている。
【００２３】
図５は、中間鏡筒背面図であり、図３の中間鏡筒側面図を紙面右側つまりカメラボディ側から見た図である。図５において、操作ローラー４６は、中間鏡筒本体１１より一部露出していて、図４に示す操作ギヤ４５と一体であることから、操作ローラー４６を中間鏡筒本体１１の外側より回転操作することで光学フィルター４４が回転できる。図５において、中間鏡筒レンズマウント２２の外周には、中間鏡筒レンズマウント爪２２ａ、中間鏡筒レンズマウント爪２２ｂおよび中間鏡筒レンズマウント爪２２ｃが設けられている。中間鏡筒レンズマウント２２には、中間鏡筒位置決め長孔２４が設けられている。
【００２４】
図６は、レンズロック部組立図であり、図３の中間鏡筒側面図を中間鏡筒ボディマウントレンズロックピン１４が断面となる位相で断面にしたものである。図６において、中間鏡筒ボディマウントロックピン１４は、中間鏡筒本体１１にある穴と中間鏡筒ボディマウント１２にある穴で保持されている。中間鏡筒本体１１にある中間鏡筒ボディマウントロックピン１４を保持している穴および中間鏡筒ボディマウント１２にある中間鏡筒ボディマウントロックピン１４を保持している穴の長さは、中間鏡筒ボディマウントロックピン１４の全長よりわずかに長く、中間鏡筒ボディマウントロックピン１４は紙面左右方向つまり光軸方向にスライドできる。中間鏡筒ボディマウントリリースボタンバネ４８は、中間鏡筒ボディマウントロックピン１４を紙面左側つまりレンズ鏡筒側に向かって付勢している。中間鏡筒ボディマウントリリースボタン１５は、中間鏡筒本体１１にある穴で保持されている。中間鏡筒本体１１にある中間鏡筒ボディマウントリリースボタン１５を保持している穴の長さは中間鏡筒ボディマウントリリースボタン１５の全長よりわずかに長く、中間鏡筒ボディマウントリリースボタン１５は紙面上下方向つまり光軸と直交方向にスライドできる。
【００２５】
中間鏡筒ボディマウントロックピン１４は中間鏡筒ボディマウントリリースボタンバネ４８によりレンズ鏡筒側に向かって付勢されているが、中間鏡筒ボディマウントリリースボタン斜面１５ａに中間鏡筒ボディマウントロックピン１４の段付部が当接していることにより、中間鏡筒ボディマウントロックピン１４の中間鏡筒ボディマウント１２からの飛び出しを防いでいる。中間鏡筒ボディマウントリリースボタン１５は光軸と直交方向にスライドできるが、中間鏡筒ボディマウントリリースボタン１５を紙面下側つまり光軸中心に向かって押し込むことにより、中間鏡筒ボディマウントリリースボタン斜面１５ａが中間鏡筒ボディマウントロックピン１４の段付部を押し、中間鏡筒ボディマウントロックピン１４を紙面右側つまりカメラボディ側にスライドさせ、中間鏡筒ボディマウントロックピン１４は中間鏡筒ボディマウント１２の前面より突出しなくなる。
【００２６】
つまり中間鏡筒ボディマウントリリースボタン１５を光軸中心に向かって押し込むことにより、中間鏡筒ボディマウントロックピン１４は中間鏡筒ボディマウント１２の前面より突出しなくなる。
【００２７】
図７は、レンズ鏡筒側面図である。図７において、レンズ鏡筒本体１にはレンズマウント２およびレンズ鏡筒指標３が設けられている。
【００２８】
図８は、レンズ鏡筒背面図であり、図７のレンズ鏡筒側面図を紙面右側つまり中間鏡筒側から見た図である。図８において、レンズマウント２の外周には、レンズマウント爪２ａ、レンズマウント爪２ｂおよびレンズマウント爪２ｃが設けられている。レンズマウント２には、レンズ鏡筒位置決め長孔４が設けられている。
【００２９】
図７に示すレンズ鏡筒本体１を、図４に示す中間鏡筒本体１１に取り付けるには、中間鏡筒ボディマウント指標１３に対してレンズ鏡筒指標３の位相を合わせ、中間鏡筒ボディマウント１２の内周にある中間鏡筒ボディマウントスキマ１２ａと中間鏡筒ボディマウントスキマ１２ｂと中間鏡筒ボディマウントスキマ１２ｃにそれぞれ、レンズマウント２の外周にあるレンズマウント爪２ａとレンズマウント爪２ｂとレンズマウント爪２ｃを嵌め込み、中間鏡筒ボディマウントロックピン１４がレンズ鏡筒位置決め長孔４に嵌合するまで、レンズ鏡筒本体１を回転させる。
【００３０】
図７に示すレンズ鏡筒本体１を、図４に示す中間鏡筒本体１１から取り外すには、中間鏡筒ボディマウントリリースボタン１５を押して中間鏡筒ボディマウントロックピン１４を中間鏡筒ボディマウント１２の前面より引き込むことで、レンズ鏡筒本体１は回転できるようになり、所定の角度だけレンズ鏡筒本体１を回転させてからレンズ鏡筒本体１を取り外す。
【００３１】
図９は、カメラボディ前面図である。図１０は、カメラボディ側面図である。図９において、カメラボディ３１にはカメラボディマウント３２およびカメラボディマウント指標３３が設けられている。カメラボディマウント３２の内周には、カメラボディマウントスキマ３２ａ、カメラボディマウントスキマ３２ｂおよびカメラボディマウントスキマ３２ｃが設けられている。カメラボディマウント３２にはカメラボディマウントロックピン３４が設けられている。また、カメラボディ３１にはカメラボディマウントリリースボタン３５が設けられている。
【００３２】
図５に示す中間鏡筒本体１１を、図９に示すカメラボディ３１に取り付けるには、カメラボディマウント指標３３に対して中間鏡筒レンズマウント指標２３の位相を合わせ、カメラボディマウント３２の内周にあるカメラボディマウントスキマ３２ａとカメラボディマウントスキマ３２ｂとカメラボディマウントスキマ３２ｃにそれぞれ、中間鏡筒レンズマウント２２の外周にある中間鏡筒レンズマウント爪２２ａと中間鏡筒レンズマウント爪２２ｂと中間鏡筒レンズマウント爪２２ｃを嵌め込み、カメラボディマウントロックピン３４が中間鏡筒位置決め長孔２４に嵌合するまで、中間鏡筒本体１１を回転させる。
【００３３】
図５に示す中間鏡筒本体１１を、図９に示すカメラボディ３１から取り外すには、カメラボディマウントリリースボタン３５を押してカメラボディマウントロックピン３４をカメラボディマウント３２の前面より引き込むことで、中間鏡筒本体１１は回転できるようになり、所定の角度だけ中間鏡筒本体１１を回転させてから中間鏡筒本体１１を取り外す。
【００３４】
図１１は、本発明のカメラシステム分解図である。図１２は、本発明のカメラシステム組立図である。図１１および図１２において、中間鏡筒本体１１は、レンズ鏡筒本体１とカメラボディ３１との間に挟んで組み立てることで、レンズ鏡筒１とカメラボディ３１との間に中間鏡筒本体１１の外側から回転操作可能な光学フィルターを構成できる。
【００３５】
本発明の中間鏡筒を用いると、広角レンズや魚眼レンズで光学フィルターを用いて光学フィルターの効果を得る場合、口径の大きな光学フィルターを用いる必要がなく、廉価であり携帯性を犠牲にせず光学フィルターによる効果を得ることができる。また、ＰＬフィルターやクロスフィルター等の回転操作を行うことでフィルター効果を調整する光学フィルターであっても、口径の大きな光学フィルターを用いる必要がなく、廉価であり携帯性を犠牲にせず光学フィルターによる効果を得ることができる。また、フィルターネジ径の異なる複数のレンズ鏡筒を使用する場合でも、それぞれのレンズ鏡筒に応じて異なるフィルターネジ径の複数の光学フィルターを準備する必要がなく、廉価であり携帯性を犠牲にすることなく光学フィルターによるフィルター効果を得ることができる。
【産業上の利用可能性】
【００３６】
本発明は、中間鏡筒を用いた静止画や動画の撮影時において、光学フィルターの回転操作による映像効果を作画意図として表現したい場合に適用できる。
【符号の説明】
【００３７】
１  レンズ鏡筒本体
２  レンズマウント
２ａ  レンズマウント爪ａ
２ｂ  レンズマウント爪ｂ
２ｃ  レンズマウント爪ｃ
３  レンズ鏡筒指標
４  レンズ鏡筒位置決め長孔
１１  中間鏡筒本体
１１ａ  対フィルター保持リング摺動部
１２  中間鏡筒ボディマウント
１２ａ  中間鏡筒ボディマウントスキマａ
１２ｂ  中間鏡筒ボディマウントスキマｂ
１２ｃ  中間鏡筒ボディマウントスキマｃ
１３  中間鏡筒ボディマウント指標
１４  中間鏡筒ボディマウントロックピン
１５  中間鏡筒ボディマウントリリースボタン
１５ａ  中間鏡筒ボディマウントリリースボタン斜面
２２  中間鏡筒レンズマウント
２２ａ  中間鏡筒レンズマウント爪ａ
２２ｂ  中間鏡筒レンズマウント爪ｂ
２２ｃ  中間鏡筒レンズマウント爪ｃ
２３  中間鏡筒レンズマウント指標
２４  中間鏡筒位置決め長孔
３１  カメラボディ
３２  カメラボディマウント
３２ａ  カメラボディマウントスキマａ
３２ｂ  カメラボディマウントスキマｂ
３２ｃ  カメラボディマウントスキマｃ
３３  カメラボディマウント指標
３４  カメラボディマウントロックピン
３５  カメラボディマウントリリースボタン
４１  フィルター保持リング
４１ａ  対中間鏡筒摺動部
４１ｂ  対保持リング押さえ圧入部
４１ｃ  フィルター保持リング外周ギヤ
４３  保持リング押さえ
４３ｂ  対フィルター保持リング圧入部
４４  光学フィルター
４５  操作ギヤ
４６  操作ローラー
４７  操作ギヤ軸
４８  中間鏡筒ボディマウントリリースボタンバネ
【図１】
2011191469.tif 000003
【図２】
2011191469.tif 000004
【図３】
2011191469.tif 000005
【図４】
2011191469.tif 000006
【図５】
2011191469.tif 000007
【図６】
2011191469.tif 000008
【図７】
2011191469.tif 000009
【図８】
2011191469.tif 000010
【図９】
2011191469.tif 000011
【図１０】
2011191469.tif 000012
【図１１】
2011191469.tif 000013
【図１２】
2011191469.tif 000014